【事件の表示】
　特願２００８−５４７６７５「アンロック画像上でジェスチャを行うことによる機器のアンロッキング」拒絶査定不服審判事件〔平成１９年　７月　５日国際公開、ＷＯ２００７／０７６２１０、平成２１年　６月　４日国内公表、特表２００９−５２１７５３、請求項の数（２４）〕について、次のとおり審決する。
【結　論】
　原査定を取り消す。
　本願の発明は、特許すべきものとする。
【理　由】
第１　手続の経緯
　本願は、２００６年１１月３０日（パリ条約による優先権主張外国庁受理２００５年１２月２３日　アメリカ合衆国）を国際出願日とする出願であって、平成２３年３月８日付けで拒絶理由が通知され、同年７月２０日付けで手続補正がされ、同年１０月２８日付けで拒絶理由が通知され、平成２４年４月１２日付けで手続補正がされ、これに対し、同年９月１３日付けで拒絶査定がなされ、これに対して、平成２５年１月１８日に拒絶査定不服審判が請求されたものである。
　
第２　本願発明
　本願の請求項１〜２４に係る各発明は、平成２４年４月１２日付けの手続補正で補正された特許請求の範囲の請求項１〜２４に記載された事項により特定される、以下のとおりのものである。
　
　「【請求項１】
　タッチセンシティブディスプレイと、
　メモリと、
　１つ以上のプロセッサと、
　前記メモリに記憶されると共に、前記１つ以上のプロセッサにより実行されるように構成された１つ以上のプログラムと、
を備える携帯用電子機器であって、前記１つ以上のプログラムは、
　前記タッチセンシティブディスプレイ上の第１の所定の位置に表示されたアンロック画像において、前記タッチセンシティブディスプレイとの接触を検出するための命令と、
　前記タッチセンシティブディスプレイとの持続的な接触を維持している間の前記検出された接触の動きに従って前記タッチセンシティブディスプレイ上の前記アンロック画像を移動するための命令と、
　前記アンロック画像が前記タッチセンシティブディスプレイ上の前記第１の所定の位置から前記タッチセンシティブディスプレイ上の所定のアンロック領域へ移動する場合に、前記携帯用電子機器をアンロックし、前記アンロック画像の表示を終了するための命令と、
を含み、
　前記アンロック画像は、ユーザが前記携帯用電子機器をアンロックするために交信するグラフィカルでインタラクティブなユーザインタフェースオブジェクトである
ことを特徴とする携帯用電子機器。
　　【請求項２】
　前記移動することは、任意の所望の経路に沿った動きを含む、
ことを特徴とする請求項１に記載の携帯用電子機器。
　　【請求項３】
　前記移動することは、前記第１の所定の位置から前記所定のアンロック領域への所定の表示経路に沿った動きを含む、
ことを特徴とする請求項１に記載の携帯用電子機器。
　　【請求項４】
　前記携帯用電子機器はハンドヘルド電子機器である、
ことを特徴とする請求項１乃至３の何れか１項に記載の携帯用電子機器。
　　【請求項５】
　前記携帯用電子機器をアンロックするのに必要な前記アンロック画像の動きの方向を通知する視覚的な合図を表示するための命令をさらに含む、
ことを特徴とする請求項１乃至４の何れか１項に記載の携帯用電子機器。
　　【請求項６】
　前記視覚的な合図はテキストを含む、
ことを特徴とする請求項５に記載の携帯用電子機器。
　　【請求項７】
　前記視覚的な合図は動きの方向を示す矢印を含む、
ことを特徴とする請求項５に記載の携帯用電子機器。
　　【請求項８】
　前記アンロック画像は単一の画像である、
ことを特徴とする請求項１乃至７の何れか１項に記載の携帯用電子機器。
　　【請求項９】
　タッチセンシティブディスプレイを備えた携帯用電子機器によって実行される場合に、
該携帯用電子機器に、
　前記タッチセンシティブディスプレイ上の第１の所定の位置に表示されたアンロック画像において、前記タッチセンシティブディスプレイとの接触を検出させるための命令と、
　前記タッチセンシティブディスプレイとの持続的な接触を維持している間の前記検出された接触の動きに従って前記タッチセンシティブディスプレイ上の前記アンロック画像を移動させるための命令と、
　前記タッチセンシティブディスプレイ上の前記アンロック画像が動く結果として前記アンロック画像が前記タッチセンシティブディスプレイ上の前記第１の所定の位置から所定のアンロック領域へ移動する場合に、前記携帯用電子機器をアンロックさせ、前記アンロック画像の表示を終了させるための命令と、
を含み、
　前記アンロック画像は、ユーザが前記携帯用電子機器をアンロックするために交信するグラフィカルでインタラクティブなユーザインタフェースオブジェクトである
ことを特徴とするコンピュータプログラム。
　　【請求項１０】
　前記移動することは、任意の所望の経路に沿った動きを含む、
ことを特徴とする請求項９に記載のコンピュータプログラム。
　　【請求項１１】
　前記移動することは、前記第１の所定の位置から前記所定のアンロック領域への所定の表示経路に沿った動きを含む、
ことを特徴とする請求項９に記載のコンピュータプログラム。
　　【請求項１２】
　前記携帯用電子機器はハンドヘルド電子機器である、
ことを特徴とする請求項９乃至１１の何れか１項に記載のコンピュータプログラム。
　　【請求項１３】
　前記携帯用電子機器をアンロックするのに必要な前記アンロック画像の動きの方向を通知する視覚的な合図を前記携帯用電子機器に表示させる命令をさらに含む、
ことを特徴とする請求項９乃至１２の何れか１項に記載のコンピュータプログラム。
　　【請求項１４】
　前記視覚的な合図はテキストを含む、
ことを特徴とする請求項１３に記載のコンピュータプログラム。
　　【請求項１５】
　前記視覚的な合図は動きの方向を示す矢印を含む、
ことを特徴とする請求項１３に記載のコンピュータプログラム。
　　【請求項１６】
　前記アンロック画像は単一の画像である、
ことを特徴とする請求項９乃至１５の何れか１項に記載のコンピュータプログラム。
　　【請求項１７】
　タッチセンシティブディスプレイを含む携帯用電子機器をアンロックする方法であって
、
　前記タッチセンシティブディスプレイ上の第１の所定の位置に表示されたアンロック画像において、前記タッチセンシティブディスプレイとの接触を検出するステップと、
　前記タッチセンシティブディスプレイとの持続的な接触を維持している間の前記検出された接触の動きに従って前記タッチセンシティブディスプレイ上の前記アンロック画像を移動するステップと、
　前記タッチセンシティブディスプレイ上の前記アンロック画像が動く結果として前記アンロック画像が前記センシティブディスプレイ上の前記第１の所定の位置から所定のアンロック領域へ移動する場合に、前記携帯用電子機器をアンロックし、前記アンロック画像の表示を終了するステップと、
を含み、
　前記アンロック画像は、ユーザが前記携帯用電子機器をアンロックするために交信するグラフィカルでインタラクティブなユーザインタフェースオブジェクトであることを特徴とする方法。
　　【請求項１８】
　前記移動することは、任意の所望の経路に沿った動きを含む、
ことを特徴とする請求項１７に記載の方法。
　　【請求項１９】
　前記移動することは、前記第１の所定の位置から前記所定のアンロック領域への所定の表示経路に沿った動きを含む、
ことを特徴とする請求項１７に記載の方法。
　　【請求項２０】
　前記携帯用電子機器はハンドヘルド電子機器である、
ことを特徴とする請求項１７乃至１９の何れか１項に記載の方法。
　　【請求項２１】
　前記携帯用電子機器をアンロックするのに必要な前記アンロック画像の動きの方向を通知する視覚的な合図を表示するステップをさらに含む、
ことを特徴とする請求項１７乃至２０の何れか１項に記載の方法。
　　【請求項２２】
　前記視覚的な合図はテキストを含む、
ことを特徴とする請求項２１に記載の方法。
　　【請求項２３】
　前記視覚的な合図は動きの方向を示す矢印を含む、
ことを特徴とする請求項２１に記載の方法。
　　【請求項２４】
　前記アンロック画像は単一の画像である、
ことを特徴とする請求項１７乃至２３の何れか１項に記載の方法。」
（以下、本願の請求項１〜２４に係る各発明を「本願発明１」、「本願発明２」、・・・「本願発明２４」のように表す。）
　
第３　原査定の理由の概要
　本願発明１〜２４は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　
　　　　　　　　　　　　　　　　　　記
　
刊行物１：Ｃａｔｈｅｒｉｎｅ　Ｐｌａｉｓａｎｔ　ａｎｄ　Ｄａｎｉｅｌ　Ｗａｌｌａｃｅ，　Ｔｏｕｃｈｓｃｒｅｅｎ　ｔｏｇｇｌｅ　ｄｅｓｉｇｎ，　ＣＨＩ'９２　Ｐｒｏｃｅｅｄｉｎｇｓ　ｏｆ　ｔｈｅ　ＳＩＧＣＨＩ　ｃｏｎｆｅｒｅｎｃｅ　ｏｎ　Ｈｕｍａｎ　ｆａｃｔｏｒｓ　ｉｎ　ｃｏｍｐｕｔｉｎｇ　ｓｙｓｔｅｍｓ，　１９９２年，　ｐ．６６７−６６８
刊行物２：特開２００３−９１３７０号公報
刊行物３：特開平８−２６３２１５号公報
　
第４　当審の判断
１．本願発明１について
（１）刊行物の記載事項
　刊行物１には、図面とともに以下の事項が記載されている。
ａ）「INTRODUCTION
This video describes and compares six different 
touchscreen based toggle switches to be used by novice or occasional users to control two state (on/off) devices in a touchscreen enviroment
Computer based toggle switches
このビデオは、
タッチスクリーン環境にある、２つの状態（オン／オフ）になる装置を制御する、初心者や時々しか使わないユーザーによって使用される、
タッチスクリーンに基づいたトグル・スイッチ
　
コンピュータに基づいたトグル・スイッチ
　
ｂ）「DESCRIPTION OF THE TOGGLES
A requirement imposed by our particular application was to design toggles allowing lists of devices or options to be presented on the screen. This limited us to horizontal toggles (Figure 2) to increase the number of possible toggles and labels per page.」（第６６７頁右欄第１８〜２３行の記載。）（審判訳：トグルの説明
我々の特定のアプリケーションに必要不可欠な条件は、装置またはオプションのリストをスクリーン上で提供されることを許可するトグルを設計することでした。これは、ページ 毎の可能なトグルとラベルの数を増やすために、我々を水平トグル（図2）に制限しました。）
　
ｃ）「・
Slider toggle
a sliding/dragging movement is required to change the position of the yellow pointer from one side of the toggle to the other
If the device is ON the pointer is on the ON side
Users can then grab the pointer and slide it to the other side
スライダー・トグル
スライド／ドラッグの動きは、トグルの一側から他側に黄色のポインターの位置を変えることを要求され
装置がONならば、ポインターはON側
それから、ユーザーはポインターをつかむことができて、そして、他側にそれをスライドさせることができ
　
ｄ）「Another 
advantage of the sliding movement is that it is less likely to be done inadvertently therefore making the toggle very secure
スライド動作の
長所は、不用意に行われそうになく、したがって、トグルを非常に安全なものにすることで
　
　してみると、刊行物１には以下の発明（以下、「引用発明」という。）が記載されている。
　「タッチスクリーン環境にある、２つの状態（オン／オフ）になる装置を制御する、初心者や時々しか使わないユーザーによって使用される、タッチスクリーンに基づいたトグル・スイッチであり、コンピュータに基づいたトグル・スイッチにおいて、
スライダー・トグルは、スライド／ドラッグの動きは、トグルの一側から他側に黄色のポインターの位置を変えることを要求され、
装置がONならば、ポインターはON側であり、それから、ユーザーはポインターをつかむことができて、そして、他側にそれをスライドさせることができ、
スライド動作の長所は、不用意に行われそうになく、したがって、トグルを非常に安全なものにすることである
トグル・スイッチ。」
　
　刊行物２には、図面とともに以下の事項が記載されている。
ｅ）「【０００１】
【発明の属する技術分野】本発明はタッチパネルディスプレイを使用するシステム関し、特に
タッチパネルディスプレイの清掃モード及び通常モードへの切替制御方法に関する
　
ｆ）「【００１１】
【発明の実施の形態】次に、本発明の実施の形態について図面を参照して詳細に説明する。図１は、本発明の実施形態に係るタッチパネル清掃支援装置が適用された情報処理システムのブロック構成図である。
この情報処理システムは、情報処理装置３と、情報処理装置３からの表示用データを表示する画面表示部１と、この画面表示部１の前面に設けられ、画面のタッチ操作に応動して前記画面の位置座標信号を入力するタッチパネルとから構成される
【００１２】更に、
情報処理装置３は、画面表示部１への表示用データを生成する表示制御部３１と、タッチパネル２から入力された位置座標信号を受信するタッチ情報受信部３３と、受信した位置座標情報を分析し通常モードと清掃モードを識別するタッチ情報分析部３４と、この分析結果に基づき、タッチパネルのモード切替を制御する清掃モード切替部３２とを有する
【００１３】次に、以上のように構成されたタッチパネル清掃支援装置によるタッチパネル清掃方法について図２及び図３を用いて説明する。図２は、本発明の実施形態に係る画面表示部１の表示態様を表すものである。
この表示態様では、画面表示部１の四隅にボタン１〜ボタン４を表示している
これらのボタンは、通常モードから清掃モードへの切り替え及び清掃モード完了後の通常モードへの切り替えを行う場合に利用する
【００１４】次に、図３に示すフローチャートを参照して本実施の形態に係る通常モードから清掃モードへの切り替え動作について詳細に説明する。
【００１５】操作者がタッチパネル２にタッチすると、位置座表信号が出力され、タッチ情報受信部３３にて受信される。受信された位置座標信号は、タッチ情報分析部３４により入力された位置座標に対応する表示内容を参照し、ボタン１の表示領域に対するタッチであるかどうか判断する（ステップ１）。ボタン１に対するタッチ情報であると判断されると、次のタッチ情報の受信待ち状態とし、続くタッチ情報がボタン２の表示領域に対するタッチであるかどうか判断する（ステップ２）。その結果、ボタン２に対するタッチ情報であると判断されると、次のタッチ情報の受信待ちとし、以下同様にボタン３及びボタン４にタッチ情報であるかどうか判断する（ステップ３、ステップ４）。このステップ１〜４までの結果、順にボタン１からボタン４までのタッチ情報が検出されると、清掃モードの切替であると判断し、清掃モード切替部３２に清掃モード切替信号を出力する。
【００１６】
清掃モード切替部３２では、受信した清掃モード切替信号に基づき、以降入力されるタッチ情報を無効とする
【００１７】これにより、画面をタッチ操作しても情報処理装置において、他の処理が実行されることはないので、操作者によって画面の拭き清掃が行われる。拭き清掃が完了すると、
操作者により通常モードへの切替作業が行われる
清掃モードから通常モードへの解除については、上記のボタン１〜ボタン４までのタッチが順番に行われることで解除するようにしてもよいし、また、他の順番で入力された位置検出情報の受信に基づくものであってもよい
【００１８】以上、
本実施の形態によれば、ボタン１からボタン４を画面上の四隅に配置し、そのボタンを順番にタッチしない限りモードの切り替えは行わないというように構成されているため、清掃時に誤ってボタン１〜ボタン４のいずれかのボタンをタッチした場合でも、規定の順番と同様のタッチ順ですべてのボタンをタッチする可能性を極力低くする事ができる
　
ｇ）「【００２１】次に、本発明の第二の実施の形態について説明する。前述の実施形態では、画面表示部１にボタン１〜４を表示させ、このボタンに対するタッチの順番によりモードを切り替えるものであったが、例えば
メニュー画面に清掃モード選択ボタンを設け、このボタンにタッチが有った場合に、清掃モードに切り替わるとともに、前述の説明で用いたモード切替のためのボタン１〜４を有する清掃モード画面を表示させ、このボタンに対するタッチの順番により清掃モードから通常モードに切り替えるようにしてもよい
　
　刊行物３には、図面とともに以下の事項が記載されている。
ｈ）「【０００１】
【産業上の利用分野】本発明は、各種機器のキー操作可能な表示画面として用いられている
タッチスクリーンの画面（特にクリーニング画面）表示方法に関する
　
ｉ）「【０００４】そこで、そのようなタッチスクリーンだけで全ての操作を行う機器のために、キーボードでなくタッチスクリーン上の操作でクリーニング画面に切り換えることが考えられるが、この場合には、清掃が終了した時、クリーニング画面を元の画面に戻すことが問題となる。つまり、
クリーニング画面を終了させるために画面上に終了ボタンを設けるようにすると、清掃中にタッチスクリーン上のボタンの部分に誤って触れることで、クリーニング画面が終了してしまう恐れがあり、それを回避しようとすると、終了ボタンの部分は清掃できなくなってしまう
【０００５】なお、機器の前面に着脱自在なタッチスクリーンパネルもあり、この場合はパネルを取り外して清掃することができる。しかし、パネル面が汚れる度に取り外して清掃し、その後再び取り付ける作業が必要であり、使用頻度の高い機器ほど、そのような作業を多く行わなければならず、煩わしいという問題がある。
【０００６】
本発明は、
タッチスクリーン上の操作だけでクリーニング画面に切り換えることができると共に、クリーニング画面を終了させるボタンを設けても画面全体を充分に清掃できる画面表示方法を提供
　
ｊ）「【００１２】本発明によれば、上記のように、キーボードを用いることなく
タッチスクリーン上の操作だけで、クリーニング画面への切換えと元の画面への復帰ができ
、クリーニング画面から元の画面への復帰は、少なくとも２つの終了ボタンを一定時間内に操作しなければ行われない
【００１３】
【実施例】図１は、本発明の表示方法で電子機器の表示部（ＣＲＴ、液晶など）に表示されるタッチスクリーンのクリーニング画面の例を示す図である。この画面では、２つの終了ボタン１及び２が表示されると共に、両方のボタンを一定時間（この場合、３秒間）内に押すことによってこの画面を終了させることができるという操作ガイダンスが表示されている。
【００１４】図２は、
本発明の画面表示方法
電子機器の表示制御部（例えばマイクロコンピュータ）による制御下で実行される
【００１５】初めに、
電子機器の表示制御部は、
通常の表示画面（図示省略）において操作者が清掃モードを選択したか否かを判断し
“ＹＥＳ”のとき、清掃モードの表示画面（クリーニング画面）に切り換え
クリーニング画面は、画面全体を所定の表示態様（例えば黒っぽい無地のように、画面の汚れが目立つ色や模様）で表示
２つの終了ボタン１及び２を表示する
【００１６】次に、この
クリーニング画面が表示されている状態で終了ボタン１が押されたか否かを判断し
“ＹＥＳ”のとき、
一定時間が経過する以前に、
終了ボタン２が押されたときは、清掃モードを解除することにより、クリーニング画面を元の表示画面に戻す
【００１７】この実施例では、クリーニング画面のときに表示される２つの終了ボタン１及び２を区別し、終了ボタン１が操作された後、一定時間の経過前に終了ボタン２が押された時、清掃モードを解除するようにしているが、これらの終了ボタンの操作順を逆にしてもよい。すなわち、２つの終了ボタンを特に区別する必要はなく、どちらか一方が押されてから他方のボタンが押された時に清掃モードを解除すればよい。また、一方のボタンが押された時にそのボタンの色を変化させることで、クリーニング画面が終了可能な状態にあることを表示してもよい。
【００１８】かくして、電子機器の操作者や管理者は、
タッチスクリーンの清掃のためにクリーニング画面が表示されているときに、２つの終了ボタンのいずれか一方に触れても、一定時間内に他方が操作されなければ、クリーニング画面は終了しないので、各ボタンの部分も布等で拭いて清掃することができる
　
（２）対比
　本願発明１と引用発明とを対比する。 
　
ア．引用発明の「トグル・スイッチ」は「タッチスクリーン環境にある、２つの状態（オン／オフ）になる装置を制御する」ために使用され「タッチスクリーンに基づいた」ものであり、「コンピュータに基づいた」ものであるから、
引用発明の「装置」が、
本願発明１の「タッチセンシティブディスプレイ」と、「メモリ」と、「１つ以上のプロセッサ」と、「前記メモリに記憶されると共に、前記１つ以上のプロセッサにより実行されるように構成された１つ以上のプログラム」のそれぞれに相当するものを有していることは明らかである。
　したがって、引用発明の「装置」と本願発明１の「携帯用電子機器」とは、
「タッチセンシティブディスプレイと、
　メモリと、
　１つ以上のプロセッサと、
　前記メモリに記憶されると共に、前記１つ以上のプロセッサにより実行されるように構成された１つ以上のプログラムと、
を備える電子機器」である点で共通するといえる。
　
イ．引用発明の「トグル・スイッチ」は「タッチスクリーンに基づいた」ものであり「ユーザーはポインターをつかむことができて、そして、他側にそれをスライドさせることができ」るものであるから、
上記ア．で言及した引用発明の「装置」に備えられた「１つ以上のプログラム」が、
本願発明１の「前記タッチセンシティブディスプレイ上の第１の所定の位置に表示されたアンロック画像において、前記タッチセンシティブディスプレイとの接触を検出するための命令」、「前記タッチセンシティブディスプレイとの持続的な接触を維持している間の前記検出された接触の動きに従って前記タッチセンシティブディスプレイ上の前記アンロック画像を移動するための命令」のそれぞれと、
「前記タッチセンシティブディスプレイ上の第１の所定の位置に表示された画像において、前記タッチセンシティブディスプレイとの接触を検出するための命令」、「前記タッチセンシティブディスプレイとの持続的な接触を維持している間の前記検出された接触の動きに従って前記タッチセンシティブディスプレイ上の前記画像を移動するための命令」の点で共通する命令を含んでいることは明らかである。
　
ウ．引用発明の「トグル・スイッチ」の「ポインター」は、「装置がONならば、ポインターはON側であり、それから、ユーザーはポインターをつかむことができて、そして、他側にそれをスライドさせることができ」るように使用されるものであるから、「ユーザが交信するグラフィカルでインタラクティブなユーザインタフェースオブジェクト」の一種であるということができ、
　引用発明の「トグル・スイッチ」の「ポインター」と本願発明１の「前記アンロック画像」とは、「ユーザが交信するグラフィカルでインタラクティブなユーザインタフェースオブジェクト」の点で共通するといえる。
　
　したがって、両者は以下の一致点と相違点とを有する。 
　
＜一致点＞
　「タッチセンシティブディスプレイと、
　メモリと、
　１つ以上のプロセッサと、
　前記メモリに記憶されると共に、前記１つ以上のプロセッサにより実行されるように構成された１つ以上のプログラムと、
を備える電子機器であって、前記１つ以上のプログラムは、
　前記タッチセンシティブディスプレイ上の第１の所定の位置に表示された画像において、前記タッチセンシティブディスプレイとの接触を検出するための命令と、
　前記タッチセンシティブディスプレイとの持続的な接触を維持している間の前記検出された接触の動きに従って前記タッチセンシティブディスプレイ上の前記画像を移動するための命令と、
を含み、
　前記画像は、ユーザが交信するグラフィカルでインタラクティブなユーザインタフェースオブジェクトである
ことを特徴とする電子機器。」
　
＜相違点１＞
　本願発明１は、「ユーザが交信するグラフィカルでインタラクティブなユーザインタフェースオブジェクトである」画像が、「アンロック画像」で「ユーザが」「電子機器をアンロックするために交信する」ものであるのに対し、引用発明は、「ユーザが交信するグラフィカルでインタラクティブなユーザインタフェースオブジェクトである」画像が、「トグル・スイッチ」で「２つの状態（オン／オフ）になる装置を制御」するものである点。
　
＜相違点２＞
　本願発明１は、「１つ以上のプロセッサにより実行されるように構成された１つ以上のプログラム」が「前記アンロック画像が前記タッチセンシティブディスプレイ上の前記第１の所定の位置から前記タッチセンシティブディスプレイ上の所定のアンロック領域へ移動する場合に、前記携帯用電子機器をアンロックし、前記アンロック画像の表示を終了するための命令」を含むのに対し、引用発明は、そのような命令を含まない点。
　
＜相違点３＞
　本願発明１は、「電子機器」が「携帯用電子機器」であるのに対して、引用発明は携帯用であると記載されていない点。
　
（３）判断
＜相違点１についての判断＞
　刊行物２，刊行物３に記載されるように、タッチパネルディスプレイを有する機器において、入力されるタッチ情報を無効とする清掃モード時に、表示部に表示された複数のボタン（本願発明の「アンロック画像」に相当。）をタッチすることにより、清掃モードから通常モードに切り替える（本願発明の「電子機器をアンロック」することに相当。）技術は、本願優先日前周知技術（以下、「周知技術１」という。）である。
　しかしながら、該周知技術１の存在をもって、「引用発明において相違点１に係る本願発明１の構成を採用することが容易であった」ということはできない。
　理由は以下のとおりである。
　すなわち、引用発明において相違点１に係る本願発明１の構成を採用するということは、引用発明の「トグル・スイッチ」を電子機器のアンロックの用途に使用するということを意味するが、引用発明の「トグル・スイッチ」は、ユーザによる清掃動作時に誤って操作される虞がある形態のものであり、上記周知技術１に示される「アンロック」すなわち「清掃モードから通常モードへの切り替え」には適しないものであるから、上記周知技術１の存在は、引用発明の「トグル・スイッチ」をアンロックの用途に使用することの動機付けにはならない。
　
＜相違点２について＞
　刊行物３に、「通常の表示画面（図示省略）において操作者が清掃モードを選択したか否かを判断し」「、“ＹＥＳ”のとき、清掃モードの表示画面（クリーニング画面）に切り換え」「このクリーニング画面は、画面全体を所定の表示態様（例えば黒っぽい無地のように、画面の汚れが目立つ色や模様）で表示」し「２つの終了ボタン１及び２を表示する」と、また、「清掃モードを解除することにより、クリーニング画面を元の表示画面に戻す」と記載されるように、清掃モードから通常モードに切り換える際に、清掃モードを終了させるためのボタンが表示された画面を元の表示画面に戻す技術、すなわち、清掃モード終了（本願発明の「電子機器をアンロック」することに相当。）時に、清掃モードを終了させるためのボタン（本願発明の「アンロック画像」に相当。）の表示を終了する技術も、本願優先日前周知技術（以下、「周知技術２」という。）である。
　
　しかしながら、引用発明の「トグル・スイッチ」は「２つの状態（オン／オフ）になる装置を制御」するためのものであり、装置が２つの状態（オン／オフ）の何れの状態にある場合でも表示される必要のあるものであるから、引用発明に上記周知技術２を適用して、「トグル・スイッチ」を、清掃モード終了時に表示が終了する、清掃モードを終了させるためのボタン（本願発明の「アンロック画像」に相当。）とすることには、動機付けがあるとはいえない。
　
　したがって、本願発明１は、引用発明及び上記各周知技術に基づいて、当業者が容易に発明をすることができたとはいえない。
　
２．本願発明２〜８について
　本願発明２〜８は本願発明１に従属するものであるから、上記「１．本願発明１について」にて述べたのと同様の理由により、本願発明２〜８は、引用発明及び上記各周知技術に基づいて、当業者が容易に発明をすることができたとはいえない。
　
３．本願発明９について
　
　本願発明９は本願発明１を「コンピュータプログラム」の発明として記載したものであるから、上記「１．本願発明１について」にて述べたのと同様の理由により、本願発明９は、引用発明及び上記各周知技術に基づいて、当業者が容易に発明をすることができたとはいえない。
　
４．本願発明１０〜１６について
　本願発明１０〜１６は本願発明９に従属するものであるから、上記「３．本願発明９について」にて述べたのと同様の理由により、本願発明１０〜１６は、引用発明及び上記各周知技術に基づいて、当業者が容易に発明をすることができたとはいえない。
　
５．本願発明１７について
　
　本願発明１７は本願発明１を「方法」の発明として記載したものであるから、上記「１．本願発明１について」にて述べたのと同様の理由により、本願発明１７は、引用発明及び上記各周知技術に基づいて、当業者が容易に発明をすることができたとはいえない。
　
６．本願発明１８〜２４について
　本願発明１８〜２４は本願発明１７に従属するものであるから、上記「５．本願発明１７について」にて述べたのと同様の理由により、本願発明１８〜２４は、引用発明及び上記各周知技術に基づいて、当業者が容易に発明をすることができたとはいえない。
　
第５　むすび
　以上のとおり、本願発明１〜２４は、引用発明及び上記各周知技術に基づいて、当業者が容易に発明をすることができたものとすることができないから、原査定の理由によっては、本願を拒絶することはできない。
　また、他に本願を拒絶するべき理由を発見しない。
　よって、結論のとおり審決する。